(57)【要約】【課題】表示された被試験端末と擬似基地局との位置関係を変化させるのみで、被試験端末への通信信号の信号レベルを自動変更する。【解決手段】  被試験端末１１ａと通信回線を形成してこの被試験端末との間で各種信号の送受信を行う擬似基地局３ｃ〜５ｃと、被試験端末と擬似基地局を表示する表示器６と、この表示器に表示された被試験端末と擬似基地局との間の表示画面上における距離を変化させる操作部３０、３１と、被試験端末と擬似基地局との間の表示画面上における距離の変化に応じて、擬似基地局から試験端末への送信信号の出力レベルを変化させる出力レベル制御部２９、２５とを備えている。【選択図】      図１
2006101141.tif 000002
【特許請求の範囲】
【請求項１】
被試験端末（１１ａ）と通信回線を形成してこの被試験端末との間で各種信号の送受信することで通信を行う少なくとも一つの擬似基地局（３ｃ、４ｃ、５ｃ）と、
前記被試験端末と前記少なくとも一つの擬似基地局を表示する表示器（６）と、
この表示器に表示された前記被試験端末と前記少なくとも一つの擬似基地局との間の表示画面上における距離を変化させる操作部（３０、３１）と、
前記被試験端末と前記少なくとも一つの擬似基地局との間の前記表示画面上における距離の変化に応じて、前記少なくとも一つの擬似基地局から前記被試験端末への送信信号の出力レベルを変化させる出力レベル制御部（２５、２９、３４）と
を備えたことを特徴とする移動端末試験装置。
【請求項２】
前記被試験端末と前記少なくとも一つの擬似基地局とは、前記表示画面上に形成された直交座標上に表示され、
前記表示画面上の距離は、前記直交座標上における前記被試験端末と前記擬似基地局の位置を示す前記直交座標のうちの一方の第１の座標軸で定められた座標のみで求められる
ことを特徴とする請求項１記載の移動端末試験装置。
【請求項３】
複数の擬似基地局が前記直交座標のうちの他方の第２の座標軸で定められた座標の方向に分散して配置されており、
前記出力レベル制御部は、前記被試験端末と前記擬似基地局との表示画面上における前記第２の座標軸で定められた座標の方向の距離を、前記第１の座標軸で定められた座標のみで求められた距離に加えて前記表示画面上における距離とし、前記表示画面上における距離の変化に応じて、前記各擬似基地局それぞれからの前記被試験端末への送信信号の出力レベルを変化させる
ことを特徴とする請求項２記載の移動端末試験装置。
【請求項４】
複数の擬似基地局における各擬似基地局が有する前記被試験端末との通信範囲を示す擬似的な通信エリアをそれぞれ前記表示器に表示する擬似エリア表示制御部（２７）を備え、
前記出力レベル制御部は、前記複数の擬似基地局のうち被試験端末が自局の前記擬似的な通信エリアに存在するとき、被試験端末と通信を可能とし、かつ複数の擬似基地局が各々有する前記擬似的な通信エリアが重なる部分において、前記直交座標のうちの他方の第２の座標軸で定められた座標の方向の前記被試験端末と前記擬似基地局との表示画面上における距離のそれぞれを、前記第１の座標軸で定められた座標のみで求められたそれぞれの距離に加えて前記表示画面上における距離とし、前記表示画面上における距離の変化に応じて、前記各擬似基地局それぞれからの前記被試験端末への送信信号の出力レベルをそれぞれ変化させる
ことを特徴とする請求項２記載の移動端末試験装置。
【請求項５】
複数の擬似基地局における各擬似基地局が有する前記被試験端末との通信範囲を示す擬似的な通信エリアをそれぞれ前記表示器に表示する擬似エリア表示制御部（２７）を備え、
前記出力レベル制御部は、前記複数の擬似基地局のうち被試験端末が自局の前記擬似的な通信エリアに存在するとき、被試験端末と通信を可能とし、かつ複数の擬似基地局が各々有する前記擬似的な通信エリアが重なる部分において、前記擬似的な通信エリアが重なった範囲の境界から前記被試験端末までの前記直交座標のうちの他方の第２の座標軸で定められた座標の方向の距離のそれぞれを、前記第１の座標軸で定められた座標のみで求められたそれぞれの距離に加えて前記表示画面上における距離とし、前記表示画面上における距離の変化に応じて、前記各擬似基地局それぞれからの前記被試験端末への送信信号の出力レベルをそれぞれ変化させる
ことを特徴とする請求項２記載の移動端末試験装置。
【請求項６】
複数の擬似基地局における各擬似基地局が有する前記被試験端末との通信範囲を示す擬似的な通信エリアをそれぞれ前記表示器に表示する擬似エリア表示制御部（２７）を備え、
前記出力レベル制御部は、前記複数の擬似基地局のうち被試験端末が自局の前記擬似的な通信エリアに存在するとき、被試験端末と通信を可能とし、かつ複数の擬似基地局が各々有する前記擬似的な通信エリアが重なる部分において、前記第１の座標軸で定められた座標のみで求められたそれぞれの距離を前記表示画面上における距離とし、前記表示画面上における距離の変化に応じて、前記各擬似基地局それぞれからの前記被試験珊末への送信信号の出力レベルをそれぞれ変化させる
ことを特徴とする請求項２記載の移動端末試験装置。
【請求項７】
前記擬似基地局が有する前記被試験端末との通信範囲を示す擬似的な通信エリアを前記表示器に表示する擬似エリア表示制御部（２７）を備えたことを特徴とする請求項１から３のいずれか１項記載の移動端末試験装置。
【請求項８】
前記表示画面上の距離は、前記表示画面上における前記被試験端末の位置と前記擬似基地局の位置とを直線で結ぶ直線距離であることを特徴とする請求項１記載の移動端末試験装置。
【請求項９】
複数の擬似基地局が表示画面上に分散して配置されており、
前記出力レベル制御部は、前記被試験端末の各擬似基地局との間において表示画面上におけるそれぞれの直線距離の変化に応じて、前記各擬似基地局それそれからの前記被試験端末への送信信号の出力レベルをそれぞれ変化させる
ことを特徴とする請求項８記載の移動端末試験装置。
【請求項１０】
複数の擬似基地局における各擬似基地局が有する前記被試験端末との通信範囲を示す擬似的な通信エリアをそれぞれ前記表示器に表示する擬似エリア表示制御部（２７）を備え、
前記出力レベル制御部は、複数の擬似基地局が各々有する前記擬似的な通信エリアが重なる部分において、前記被試験端末の各擬似基地局との間における表示画面上におけるそれぞれの前記直線距離の変化に応じて、前記各擬似基地局それぞれからの前記被試験端末への送信信号の出力レベルをそれぞれ変化させる
ことを特徴とする請求項９記載の移動端末試験装置。
【請求項１１】
前記擬似基地局が有する前記被試験端末との通信範囲を示す擬似的な通信エリアを前記表示器に表示する擬似エリア表示制御部（２７）を備えたことを特徴とする請求項８又は９項記載の移動端末試験装置。
【請求項１２】
前記操作部は、前記擬似基地局の送信出力レベルを入力することにより、その送信出力レベルの数値に応じて前記表示器に表示された前記被試験端末と前記少なくとも一つの擬似基地局との前記表示画面上の距離を変化させることを特徴とする請求項１記載の移動端末試験装置。
【発明の詳細な説明】
【技術分野】
【０００１】
本発明は、例えば移動端末からなる被試験端末における基地局との間における通信動作を、擬似基地局を用いて試験する移動端末試験装置に関する。
【背景技術】
【０００２】
例えば、新規の移動端末の開発において、この移動端末が基地局との間で正常に動作することを確認する必要がある。この場合、被試験端末を実際の基地局に接続できないので、実際の基地局の機能を有した擬似基地局を用いて被試験端末と基地局との間の通信動作を確認するようにしている。
【０００３】
移動端末が有する特性の一つとして、基地局から送信されてくる信号（電波）を受信するときの受信特性（受信感度等）がある。この移動端末の受信感度を測定する一般的手法としては、基地局から出力している規定信号レベルの信号を移動端末で受信し移動端末側でこの受信信号の受信レベルを測定する。そして、移動端末の基地局からの距離を大きくしていき、移動端末側での受信信号の受信レベルが許容値（限界値）以下に低下した時点の受信信号の受信レベルを当該移動端末の受信感度としている。
【０００４】
また、上述した擬似基地局が組込まれた移動端末試験装置を用いて、移動端末の受信感度を測定する場合の一例としては、移動端末と移動端末試験装置との間の距離は変化させずに（又はケーブルで接続したまま）、移動端末試験装置から移動端末へ所定のデジタルデータを含む試験信号を送信して、移動端末側で受信した試験信号に含まれるデジタルデータの誤り率（ＥＢＲ  エラービット・レイト）を測定する。
【０００５】
そして、移動端末試験装置から移動対象へ送信する送信信号の送信電力（出力レベル）を順次低下させていった場合における移動端末の受信信号の誤り率（ＥＢＲ）の変化を測定して、誤り率（ＥＢＲ）が許容値（限界値）を超えた時点の送信信号の送信電力（出力レベル）を当該移動端末の受信感度としている。
【０００６】
また、移動端末試験装置から移動端末へ送信される通常の通信用の信号の送信電力（出力レベル）を順次低下させていき、移動端末から移動端末試験装置側へ正常な応答信号が返信されるか否かを調べる手法も考えられる。
【０００７】
したがって、このような移動端末の受信機能（感度）の試験を実施する機能を有した移動端末試験装置において、試験実施者は移動端末への送信信号の送信電力（出力レベル）を入力する必要がある。
【０００８】
なお、特許文献１の「マウスによるデータ入力機能付き表示装置」においては、従来から機器に装備されていた物理的なスイッチを、表示器の表示画面上に表示し、この表示されたスイッチのイラストにおけるノブをマウスで移動させることにより、ソフト的にスイッチ投入を実現している。
【特許文献１】特開平１０―３０７１５４号公報
【発明の開示】
【発明が解決しようとする課題】
【０００９】
前述したように、本来は、移動端末の受信機能（感度）の試験は、移動端末の基地局からの距離を変化させながら実施する必要がある。したがって、試験実施者は、移動端末と基地局との位置関係を確認しながら移動端末試験装置から移動端末への送信信号の送信電力（出力レベル）を、その都度、キーボード等の入力装置を用いて、入力する必要があり、試験操作が非常に煩雑である。
【００１０】
また実際には、各基地局は、自己が移動端末と通信可能な通信エリアを有しており、この通信エリア内に位置する移動端末との間の通信状態、移動端末が自己の通信エリアと隣接する基地局の通信エリアとの重なる部分に位置した場合の移動端末と各基地局との間の通信状態を実現（シミュレート）させる必要がある。したがって、移動端末におけるより複雑な受信機能を試験するためには、試験操作がより一層煩雑になる。
【００１１】
本発明はこのような事情に鑑みてなされたものであり、試験実施者にとって、表示画面上に表示された移動端末としての被試験端末と擬似基地局との位置関係を簡単な操作で変更可能とし、かつ、擬似基地局から被試験端末への通信信号の信号レベルが自動的に定まり、その結果、表示された被試験端末と擬似基地局との位置関係を変化させるのみで、被試験端末への通信信号の送信電力（出力レベル）を自動変更できることで、直感的な操作により、試験操作性をより一層向上できる移動端末試験装置を提供することを目的とする。
【００１２】
さらに、上述した目的に加えて、被試験端末が複数の擬似基地局に対応する擬似エリアの重なる部分に位置した場合においても、各擬似基地局から被試験端末への通信信号の各送信電力（出力レベル）を各々の位置関係に基づいて制御でき、被試験端末に対するより複雑な試験を実施できる移動端末試験装置を提供することを目的とする。
【課題を解決するための手段】
【００１３】
上記課題を解消するために、本発明の移動端末試験装置においては、被試験端末と通信回線を形成してこの被試験端末との間で各種信号の送受信を行う少なくとも一つの擬似基地局と、被試験端末と少なくとも一つの擬似基地局を表示する表示器と、この表示器に表示された被試験端末と少なくとも一つの擬似基地局との間の表示画面上における距離を変化させる操作部と、被試験端末と少なくとも一つの擬似基地局との間の表示画面上における距離の変化に応じて、少なくとも一つの擬似基地局から被試験端末への送信信号の出力レベルを変化させる出力レベル制御部とを備えている。
【００１４】
このように構成された移動端末試験装置においては、表示器に被試験端末と少なくとも一つの擬似基地局が表示されている。そして、試験実施者は、操作部を操作して、表示器に表示された被試験端末と擬似基地局部との間の表示画面上における距離を変化させると、擬似基地局から試験端末への送信信号の出力レベルが変化する。
【００１５】
したがって、試験実施者にとって、視覚的に識別しやすい距離の変化により、被試験端末への通信信号の送信電力（出力レベル）を自動変更でき、試験操作性をより一層向上できる。
【００１６】
また、別の発明は、上述した発明における移動端末試験装置において、被試験端末と少なくとも一つの擬似基地局とは、表示画面上に形成された直交座標上に表示される。表示画面上の距離は、直交座標上における被試験端末と擬似基地局の位置を示す直交座標のうちの一方の第１の座標軸で定められた座標のみで求められる。
【００１７】
このように構成された移動端末試験装置においては、被試験端末と擬似基地局とは、表示画面上に形成された直交座標上に表示さる。そして、被試験端末と擬似基地局との間の距離は、例えば、直交座標がｘｙ直交座標の場合、ｘ座標またはｙ座標のいずれか一方の座標で求まるので、距離の算出速度が速くなる。
【００１８】
また、別の発明は、上述した移動端末試験装置において、複数の擬似基地局が直交座標のうちの他方の第２の座標軸で定められた座標の方向に分散して配置されている。出力レベル制御部は、被試験端末と擬似基地局との表示画面上における第２の座標軸で定められた座標の方向の距離を、第１の座標軸で定められた座標のみで求められた距離に加えて表示画面上における距離とし、前記表示画面上における距離の変化に応じて、各擬似基地局それぞれからの前記被試験端末への送信信号の出力レベルを変化させる。
【００１９】
このように構成された移動端末試験装置においては、複数の擬似基地局が第２の座標軸で定められた座標の方向に分散して配置されている。各擬似基地局からの被試験端末への送信信号の各出力レベルは、各擬似基地局からの被試験端末へ第１の座標軸の方向の距離（ｘ座標方向距離）との第２の座標軸の方向の距離（ｙ座標方向距離）との加算距離に応じて変化する。
【００２０】
また、別の発明は、上述した移動端末試験装置において、複数の擬似基地局における各擬似基地局が有する被試験端末との通信範囲を示す擬似的な通信エリアをそれぞれ表示器に表示する擬似エリア表示制御部を備えている。出力レベル制御部は、複数の擬似基地局のうち被試験端末が自局の擬似的な通信エリアに存在するとき、被試験端末と通信を可能としている。かつ複数の擬似基地局が各々有する擬似的な通信エリアが重なる部分においては、直交座標のうちの他方の第２の座標軸で定められた座標の方向の被試験端末と擬似基地局との表示画面上における距離のそれぞれを、第１の座標軸で定められた座標のみで求められたそれぞれの距離に加えて表示画面上における距離とし、表示画面上における距離の変化に応じて、各擬似基地局それぞれからの被試験端末への送信信号の出力レベルをそれぞれ変化させる。
【００２１】
このように構成された移動端末試験装置においては、複数の擬似基地局毎に擬似的な通信エリアが設けられている。そして、被試験端末が複数の擬似基地局の擬似エリアの重なる部分に位置した場合において、各擬似基地局からの被試験端末への各送信信号の出力レベルは、各擬似基地局からの被試験端末へ第１の座標軸の方向の距離（ｘ座標方向距離）と第２の座標軸の方向の距離（ｙ座標方向距離）との加算距離に応じて変化する。なお、被試験端末が自局の擬似的な通信エリアに存在するとき、被試験端末と通信が可能である。
【００２２】
また、別の発明は、上述した移動端末試験装置において、複数の擬似基地局における各擬似基地局が有する被試験端末との通信範囲を示す擬似的な通信エリアをそれぞれ表示器に表示する擬似エリア表示制御部を備えている。出力レベル制御部は、複数の擬似基地局のうち被試験端末が自局の擬似的な通信エリアに存在するとき、被試験端末と通信を可能とし、かつ複数の擬似基地局が各々有する擬似的な通信エリアが重なる部分において、擬似的な通信エリアが重なった範囲の境界から被試験端末までの直交座標のうちの他方の第２の座標軸で定められた座標の方向の距離のそれぞれを、第１の座標軸で定められた座標のみで求められたそれぞれの距離に加えて表示画面上における距離とし、表示画面上における距離の変化に応じて、各擬似基地局それぞれからの被試験端末への送信信号の出力レベルをそれぞれ変化させる。
【００２３】
このように構成された移動端末試験装置においても、複数の擬似基地局毎に擬似的な通信エリアが設けられている。そして、被試験端末が複数の擬似基地局の擬似エリアの重なる部分に位置した場合において、各擬似基地局からの被試験端末への送信信号の出力レベルは、各擬似基地局からの被試験端末へ第１の座標軸の方向の距離（ｘ座標方向距離）と擬似的な通信エリアが重なった範囲内における第２の座標軸の方向の距離（ｙ座標方向距離）との加算距離に応じて変化する。なお、被試験端末が自局の擬似的な通信エリアに存在するとき、被試験端末と通信が可能である。
【００２４】
また、別の発明は、上述した移動端末試験装置において、複数の擬似基地局における各擬似基地局が有する被試験端末との通信範囲を示す擬似的な通信エリアをそれぞれ表示器に表示する擬似エリア表示制御部を備えている。出力レベル制御部は、複数の擬似基地局のうち被試験端末が自局の擬似的な通信エリアに存在するとき、被試験端末と通信を可能とし、かつ複数の擬似基地局が各々有する擬似的な通信エリアが重なる部分において、第１の座標軸で定められた座標のみで求められたそれぞれの距離を表示画面上における距離とし、表示画面上における距離の変化に応じて、各擬似基地局それぞれからの前記被試験珊末への送信信号の出力レベルをそれぞれ変化させる。
【００２５】
このように構成された移動端末試験装置においては、複数の擬似基地局毎に擬似的な通信エリアが設けられている。そして、被試験端末が複数の擬似基地局の擬似エリアの重なる部分に位置した場合において、各擬似基地局からの被試験端末への送信信号の出力レベルは、各擬似基地局からの被試験端末へ第１の座標軸の方向の距離（ｘ座標方向距離）に応じて変化する。なお、被試験端末が自局の擬似的な通信エリアに存在するとき、被試験端末と通信が可能である。
【００２６】
また、別の発明は、上述した移動端末試験装置において、擬似基地局が有する被試験端末との通信範囲を示す擬似的な通信エリアを表示器に表示する擬似エリア表示制御部が設けられている。
【００２７】
このように構成された移動端末試験装置においては、擬似基地局に擬似的な通信エリアが設けられている。
【００２８】
また、別の発明は、上述した移動端末試験装置において、表示画面上の距離は、表示画面上における被試験端末の位置と擬似基地局の位置とを直線で結ぶ直線距離としている。
【００２９】
このように、表示画面上の距離を表示画面上における直線距離としているので、求められた表示画面上の距離が視覚的に認識しやすく、より直感的な操作が可能である。
【００３０】
また、別の発明は、上述した移動端末試験装置において、複数の擬似基地局が表示画面上に分散して配置されており、出力レベル制御部は、被試験端末の各擬似基地局との間において表示画面上におけるそれぞれの直線距離の変化に応じて、各擬似基地局それぞれからの被試験端末への送信信号の出力レベルをそれぞれ変化させる。
【００３１】
また、別の発明は、上述した移動端末試験装置において、複数の擬似基地局における各擬似基地局が有する被試験端末と通信可能な擬似的な通信エリアをそれぞれ表示器に表示する擬似エリア表示制御部を備えている。さらに、出力レベル制御部は、複数の擬似基地局部が各々有する擬似的な通信エリアが重なる部分において、被試験端末の各擬似基地局との間において表示画面上におけるそれぞれの直線距離の変化に応じて、各擬似基地局それぞれからの被試験端末への送信信号の出力レベルをそれぞれ変化させる。
【００３２】
また、別の発明は、上述した移動端末試験装置において、擬似基地局が有する被試験端末と通信可能な擬似的な通信エリアをそれぞれ表示器に表示する擬似エリア表示制御部を備えている。
【００３３】
また、別の発明は、上述した移動端末試験装置において、操作部は、擬似基地局の送信出力レベルを入力することにより、その送信出力レベルの数値に応じて表示器に表示された被試験端末と少なくとも一つの擬似基地局との表示画面上の距離を変化させる。  
このように、逆に、擬似基地局の送信出力レベルを入力することにより、表示された被試験端末と擬似基地局との表示画面上の距離を変化させることも可能である。
【発明の効果】
【００３４】
本発明においては、表示画面上に表示された移動端末としての被試験端末と擬似基地局との距離を簡単な操作で変更可能とし、かつ、擬似基地局から被試験端末への通信信号の信号レベルを被試験端末と擬似基地局との間の距離に応じて自動的に定めている。
【００３５】
したがって、試験実施者としては、表示された被試験端末と擬似基地局との間の距離を変化させるのみで、被試験端末への通信信号の信号レベルを自動変更できることで、直感的な操作により、試験操作性をより一層向上できる。  
さらに、実環境での基地局からの距離を概略シミュレーションさせることが可能である。
【発明を実施するための最良の形態】
【００３６】
以下、本発明の一実施形態を図面を用いて説明する。
【００３７】
図１は本発明の一実施形態に係わる移動端末試験装置の外観図である。筐体１の上面にモジュール装着部２が形成されており、このモジュール装着部２に、複数の擬似基地局モジュール３ａ、４ａ、５ａが着脱自在に設けられている。筐体１の前面に表示器６及び操作パネル７が設けられている。
【００３８】
表示器６には、図２に示すように、３つの擬似基地局３ｂ、４ｂ、５ｂ、各擬似基地局３ｂ、４ｂ、５ｂ毎に設けられた３つの擬似エリア８、９、１０、移動端末としての被試験端末１１ｂ、接続状態１２、送信電力１８が表示される。各擬似エリア８、９、１０は、試験端末１１ａ（１１ｂ）と通信可能な各擬似基地局３ｂ、４ｂ、５ｂがそれぞれ有する実際の通信エリアに対応する。
【００３９】
接続状態１２は、図１に示す実際の被試験端末１１ａ（図２の表示画面上においては被試験端末１１ｂに相当）が、擬似基地局３ｂ、４ｂ、５ｂ、接続線１７、ネットワーク１３、接続線１７を介して、接続先としての例えば仮想通話先１４、仮想サーバ１５、仮想ＴＶ電話１６等に接続される状態を示す。具体的には、被試験端末１１ｂと実際に接続されている仮想通話先１４、仮想サーバ１５、仮想ＴＶ電話１６及びそれに至る通信経路に存在する接続線１７を点滅及び点灯表示する。
【００４０】
送信電力１８は、図３における実際の擬似基地局３ｃ（３ｂ）、４ｃ（４ｂ）、５ｃ（５ｂ）が、実際の被試験端末１１ａ（１１ｂ）に実際に送信する送信信号の送信電力（出力レベル）の設定値を示す。この図２においては、被試験端末１１ａ（１１ｂ）は、擬似基地局３ｂの擬似エリア８内に位置しているので、擬似基地局３ｃ（３ｂ）の送信電力（出力レベル）のみ値を有し、他の擬似基地局４ｃ（４ｂ）、５ｃ（５ｂ）の送信電力（出力レベル）は出力停止状態の表示となる（例えば送信電力の値の消去）。
【００４１】
なお、送信電力１８の出力停止状態は、この移動端末試験装置によっては完全に実施できない場合もあるので、被試験端末１１ａの受信能力以下に設定することによって実現する。さらに、送信電力の出力停止状態において、被試験端末１１ａが受信信号と認識できない種類の信号を出力することでも同様の状態を擬似的に実現することも可能である。
【００４２】
距離４０は、試験実施者にて設定された各擬似基地局３ｃ（３ｂ）、４ｃ（４ｂ）、５ｃ（５ｂ）と実際の被試験端末１１ａ（１１ｂ）との間の実際の距離である。この図２においては、被試験端末１１ａ（１１ｂ）は、擬似基地局３ｂの擬似エリア８内に位置しているので、擬似基地局３ｃ（３ｂ）との距離４０のみ値を有し、他の擬似基地局４ｃ（４ｂ）、５ｃ（５ｂ）の距離４０は表示停止状態（値の消去等）となる。
【００４３】
このように、表示器６に表示された各擬似基地局３ｂ、４ｂ、５ｂ近傍に、実際の被試験端末１１ａ（１１ｂ）との間の実際の距離４０を表示しているので、表示画面上の距離が実環境上においていかなる距離に相当するかが、一瞥して把握でき、この移動端末試験装置の操作性が向上する。
【００４４】
図１において、筐体１の例えば前面に実際の移動端末としての試験端末１１ａ（図２の表示画面上においては被試験端末１１ｂに相当）が信号線２０を介して接続される信号端子１９が設けられている。
【００４５】
図３は移動端末試験装置の概略構成を示すブロック図である。被試験端末１１ａからの信号ａは信号線２０を介して、擬似基地局部２１を構成する３つの例えばコンピュータで構成された各擬似基地局３ｃ、４ｃ、５ｃに並列に入力される。この各擬似基地局３ｃ、４ｃ、５ｃは、図１に示す各擬似基地局モジュール３ａ、４ａ、５ａ内に組込まれており、図２の表示画面上において各擬似基地局３ｂ、４ｂ、５ｂに相当する。各擬似基地局３ｃ、４ｃ、５ｃからの信号ｂは信号線２０を介して被試験端末１１ａへ送出される。
【００４６】
各擬似基地局３ｃ、４ｃ、５ｃは、被試験端末１１ａに対して、実際の基地局と同様の対応機能を有し、被試験端末１１ａからの通信先を指定した、接続要求に対して、この被試験端末１１ａと仮想の接続先である仮想通話先１４、仮想サーバ１５、仮想ＴＶ電話１６との間で通信回線を形成する。
【００４７】
擬似基地局制御部２２は、擬似基地局部２１に組込まれた各擬似基地局３ｃ、４ｃ、５ｃの状態及び動作をそれぞれ個別に管理及び制御する機能を有する。そして、この擬似基地局制御部２２内には、通信先制御部２３、擬似基地局リソース管理部２４、送信電力制御部２５等が設けられている。
【００４８】
通信先制御部２３は、各擬似基地局３ｃ、４ｃ、５ｃで指定された被試験端末１１ｂと実際に接続されている仮想通話先１４、仮想サーバ１５、仮想ＴＶ電話１６に対する接続状態を認識し、編集して接続状態表示制御部２６へ送出する。接続状態表示制御部２６は、通信先制御部２３から入力された接続状態１２を図２に示すように表示器６に表示出力する。
【００４９】
擬似基地局リソース管理部２４は、擬似基地局部２１に組込まれた各擬似基地局３ｃ、４ｃ、５ｃの位置、及び各擬似基地局３ｃ、４ｃ、５ｃの擬似エリア８、９、１０の位置、大きさ（広がり）を記憶しており、これらの位置情報を擬似基地局・擬似エリア表示制御部２７へ送出する。
【００５０】
擬似基地局・擬似エリア表示制御部２７は、各擬似基地局３ｃ、４ｃ、５ｃに対応する各擬似基地局３ｂ、４ｂ、５ｂ、各擬似エリア８、９、１０を、図２に示すように、表示器６の表示画面上の指定された位置に表示する。具体的には、図６（ａ）に示すように、表示器６の表示画面には、ｘ座標とｙ座標とからなる直交座標（ｘｙ座標）が形成（表示又は非表示）されており、各擬似基地局３ｂ、４ｂ、５ｂ、各擬似エリア８、９、１０の位置は、このｘｙ座標上の座標（Ｘ、Ｙ）で示される。なお、ｘ座標軸が第１の座標軸に対応し、ｙ座標軸が第２の座標軸に対応する。
【００５１】
擬似基地局・擬似エリア表示制御部２７は、図６（ｂ）に示すように、各擬似基地局３ｂ、４ｂ、５ｂの表示器６のｘｙ座標上における位置を示す各座標Ｂ1（Ｘb1、Ｙb1）、Ｂ2（Ｘb2、Ｙb2）、Ｂ3（Ｘb3、Ｙb3）を距離算出部３４へ送出する。
【００５２】
このように、擬似基地局リソース管理部２４及び擬似基地局・擬似エリア表示制御部２７は、擬似基地局部２１に組込まれた各擬似基地局３ｃ、４ｃ、５ｃの位置及び擬似エリア８、９、１０の位置を記憶し、各擬似基地局３ｂ、４ｂ、５ｂ及び各擬似エリア８、９、１０を表示器６に表示出力する機能を有しているので、例えば、図４（ａ）に示すように、筐体１の上面のモジュール装着部２に２つの擬似基地局モジュール３ａ、４ａのみが装着されている場合は、表示器６には、該当擬似基地局モジュール３ａ、４ａに対応する擬似基地局３ｂ、４ｂ及び擬似エリア８、９のみが表示される。
【００５３】
さらに、図４（ａ）に示す状態から、一方の擬似基地局モジュール４ａを抜きとって、図４（ｂ）に示す状態へ移行すると、表示器６に表示されていた擬似基地局４ｂ及び擬似エリア９が消去し、擬似基地局３ｂ及び擬似エリア８が残る。なお、擬似基地局４ｂ及び擬似エリア９を消去する代わりに、擬似基地局４ｂ及び擬似エリア９を破線等の無効を示す表示形態で表示することも可能である。
【００５４】
図３における送信電力制御部２５は、送信電力算出部２９から入力された各電力値に基づいて、各擬似基地局３ｃ、４ｃ、５ｃがそれぞれ被試験端末１１ａへ送信する信号ｂの送信電力（出力レベル）を各擬似基地局３ｃ、４ｃ、５ｃに設定する。さらに、送信電力制御部２５は、各擬似基地局３ｃ、４ｃ、５ｃに設定した各送信電力（出力レベル）を送信電力表示制御部２８へ送出する。送信電力表示制御部２８は、受領した各擬似基地局３ｃ、４ｃ、５ｃ毎の送信電力（出力レベル）を、図２に示すように、表示器６に送信電力１８として表示する。
【００５５】
次に、被試験端末移動入力部３０と被試験端末移動制御部３１の構成及び動作を説明する。被試験端末移動入力部３０と被試験端末移動制御部３１は、表示器６に表示された被試験端末１１ｂと擬似基地局３ｃ（４ｃ、５ｃ）との間の表示画面上における距離を変化させる。擬似基地局３ｂ（４ｂ、５ｂ）の位置は原則として固定であるので、被試験端末１１ｂの表示器６の表示画面上のｘｙ座標上の座標（Ｘ、Ｙ）を変更する。この実施形態においては、ＧＵＩ３２を用いて、試験実施者の操作パネル７の操作に応じて、被試験端末１１ｂのｘｙ座標上の座標（Ｘ、Ｙ）を変更する。
【００５６】
この被試験端末１１ｂの表示器６の表示画面上のｘｙ座標上の座標（Ｘ、Ｙ）を変更する手法として、上述した操作パネル７を用いる他に、図５（ａ）に示すように、表示器６に表示された被試験端末１１ｂをアイコンとみなして、この被試験端末１１ｂのアイコンをマウス３６で移動（ドラッグ操作）させることが可能である。また、図５（ｂ）に示すように、表示器６の表面にタッチパネル３７を設けて、試験実施者が指でタッチパネル３７上の被試験端末１１ｂの位置を移動操作することが可能である。
【００５７】
さらに、図５（ｃ）に示すように、表示器６に送信電力の入力枠３８を表示し、試験実施者が擬似基地局３ｂ（４ｂ、５ｂ）の被試験端末１１ｂに対する送信電力（出力レベル）の値を操作パネル７からこの入力枠３８内に入力すると、擬似基地局３ｂ（４ｂ、５ｂ）と被試験端末１１ｂとの距離が、入力された送信電力（出力レベル）に対応した距離になるように、被試験端末１１ｂの位置を移動させることも可能である。
【００５８】
図５（ａ）（ｂ）（ｃ）においては、全て、同一画面上での操作について説明したが、図５（ｄ）に示すように、別途の専用の距離入力画面を用いて、被試験端末１１ｂの位置を移動させることも可能である。すなわち、この図５（ｄ）においては、画面上に表示されたノブ４２の位置をマウスで移動させることによって、被試験端末１１ｂの位置を移動させる。移動に応じて、表示されている実際の距離４０及び送信電力１８が変化する。
【００５９】
このように、別途の専用の距離入力画面を採用することにより、１画面では表示領域が少なくて、被試験端末１１ｂの移動範囲が制限を受ける場合においても、操作が可能となる。
【００６０】
また、図２に示すように、各擬似エリア８、９、１０内に、ズームボタン４３を設け、このズームボタン４３をマウスでクリックすることによって、図５（ｅ）に示すように、専用の距離入力画面に、距離入力画面を拡大表示することが可能である。すなわち、被試験端末１１ａ（１１ｂ）の受信可能レベル限界の距離（結果として送信電力）のときに、被試験端末１１ｂをわずかに移動させたい場合の入力操作が容易になる。なお、図５（ａ）（ｂ）（ｃ）に示す同一画面上であっても拡大表示をすることで微小移動入力が容易になる。
【００６１】
さらに、図５（ｆ）に示すように、表示器６に実際の距離の入力枠４１を表示し、試験実施者が擬似基地局３ｂ（４ｂ、５ｂ）と被試験端末１１ａとの設定すべき実際の距離を操作パネル７からこの入力枠４１内に入力すると、擬似基地局３ｂ（４ｂ、５ｂ）と被試験端末１１ｂとの表示上の距離を、入力された実際の距離に対応した値に変化させ、被試験端末１１ｂの位置を移動させることも可能である。
【００６２】
すなわち、実環境における試験において移動端末と基地局間の距離が既知である場合には、表示画面上の被試験端末１１ｂを移動させて所望の距離に合わせ込むよりも、入力枠４１に実際の距離を数値入力する事で被試験端末１１ｂを移動させる方がよい。入力された実際の距離は、原則として前述したｘｙ座標における一方の座標軸方向（例えばｘ座標）の移動に置き換えられる。
【００６３】
また二つの擬似基地局３ｂ、４ｂに対する実際の距離がそれぞれ個別に入力された場合は、直線距離で換算し、その交点を被試験端末１１ｂの位置とする。但し、交点が求められない場合は、エラーとして被試験端末１１ｂを移動しない。
【００６４】
被試験端末位置算出部３３は、被試験端末移動制御部３１を介して、図６（ａ）（ｂ）に示すように、表示器６のｘｙ座標上における被試験端末１１ｂの位置を示す座標Ｕ1（Ｘu1、Ｙu1）を読取り、距離算出部３４へ送出する。
【００６５】
距離算出部３４は、各擬似基地局３ｂ、４ｂ、５ｂの各座標Ｂ1（Ｘb1、Ｙb1）、Ｂ2（Ｘb2、Ｙb2）、Ｂ3（Ｘb3、Ｙb3）と被試験端末１１ｂの座標Ｕ1（Ｘu1、Ｙu1）とから、被試験端末１１ｂと一つ又は複数の擬似基地局３ｂ、４ｂ、５ｂとの間の距離を算出して、送信電力算出部２９へ送出する。
【００６６】
また、距離算出部３４は、算出された表示画面上の各距離から各擬似基地局３ｃ、４ｃ、５ｃと実際の被試験端末１１ａとの間の実際の各距離４０を算出して表示器６に表示出力する。
【００６７】
送信電力算出部２９は、入力された一つ又は複数の擬似基地局３ｂ、４ｂ、５ｂとの間の距離を用いて、各擬似基地局３ｃ、４ｃ、５ｃから被試験端末１１ａへ送信する信号ｂの各送信電力（出力レベル）を算出して、送信電力制御部２５へ送出する。一般的には、被試験端末１１ａとの間の距離が短くなるに従って被試験端末１１ａへ送信する信号の送信電力（出力レベル）を上昇させる。
【００６８】
次に、距離算出部３４及び送信電力算出部２９の具体的動作を、図７〜図１１を用いて説明する。
【００６９】
この実施形態においては、被試験端末１１ｂ（座標Ｕ1（Ｘu1、Ｙu1））と擬似基地局３ｂ（４ｂ、５ｂ）（座標Ｂ1（Ｘb1、Ｙb1））との間の距離の定義は、図７（ａ）に示すｘ座標方向の距離Ｄ1と、図７（ｂ）に示すｙ座標方向の距離Ｃ1とｘ座標方向の距離Ｄ1とを加算した距離（Ｃ1＋Ｄ1）と、図８に示す直線距離Ｅ1との３種類あり、どの種類の距離Ｄ1、（Ｃ1＋Ｄ1）、Ｅ1を採用するかは、試験実施者が、予め距離算出部３４に設定しておく。
【００７０】
例えば、図４（ｂ）に示すように、被試験端末１１ｂと１つの擬似基地局３ｂがある場合など、ｙ軸方向の移動が必要でないため、被試験端末１１ｂの移動操作において、ｙ軸方向の変化が発生しても、設定に影響のないｘ座標方向の距離Ｄ1を採用する。これにより、操作性の向上にも寄与する。
【００７１】
また、図４（ａ）に示すように、被試験端末１１ｂと複数の擬似基地局３ｂ、４ｂがある場合においても、ｙ軸方向の移動による距離の変化が必要ない場合などは、同様にｘ座標方向の距離Ｄ1を採用する。
【００７２】
図７（ａ）に示すｘ座標方向の距離Ｄ1は、
Ｄ1＝｜Ｘb1―Ｘu1｜
で示され、擬似基地局３ｃから被試験端末１１ａへ送信する信号の送信電力ＰD1は、
ＰD1＝Ｆ（Ｇ（Ｄ1））
で示される。
【００７３】
但し、Ｇ（  ）はｘｙ座標上の距離から実際の距離（４０）を求めるための関数である。この関数Ｇ（  ）は、試験の目的や、被試験端末１１ａの性能等にあわせて、一次関数、数次の関数、指数関数や、対数関数等で、実際の距離を求めることができ、求めた実際の距離４０は表示器６に表示される。いずれの関数を使用するかは、被試験端末１１ｂの表示画面上の移動がどのような実際の距離を表すかを試験実施者が試験目的や操作性等から選択して、予め距離算出部３４に設定しておく。
【００７４】
また、Ｆ（  ）は、実際の距離から送信電力（出力レベル）を算出するための予め定められた関数である。この関数Ｆ（  ）は、一般に、距離が短くなるに従って送信電力（出力レベル）を上昇させる関数である。
【００７５】
図７（ｂ）に示すｙ座標方向の距離Ｃ1、及びｘ座標方向の距離Ｄ1は、
Ｃ1＝｜Ｙb1―Ｙu1｜
Ｄ1＝｜Ｘb1―Ｘu1｜
で示され、擬似基地局３ｃから被試験端末１１ａへ送信する信号の送信電力ＰA1は、加算した距離（Ｃ1＋Ｄ1）を用いて、
ＰA1＝Ｆ（Ｇ（Ｃ1＋Ｄ1））
で示される。
【００７６】
なお、ｘｙ座標上の距離から実際の距離を求める関数Ｇ（  ）は、ｘ軸方向の実際の距離を求める関数Ｇx（  ）と、ｙ軸方向の実際の距離を求める関数Ｇy（  ）とを個別に設定することも可能である。
【００７７】
この場合、上述した、擬似基地局３ｃから被試験端末１１ａへ送信する信号の送信電力ＰA1は、ｙ方向の距離Ｃ1、ｘ方向の距離Ｄ1から、ｙ方向の実際の距離Ｇy（Ｃ1）、ｘ方向の実際の距離Ｇx（Ｄ1）を求めた後に下式で求める。
【００７８】
ＰA1＝Ｆ（Ｇy（Ｃ1）＋Ｇx（Ｄ1））
この処理により、画面上での移動可能範囲が一方の座標軸方向に少ない場合においても、操作性を向上することができる。
【００７９】
図８に示す直線距離Ｅ1は、
Ｅ1＝［（Ｘb1―Ｘu1）2＋（Ｙb1―Ｙu1）2］1/2
で示され、擬似基地局３ｃから被試験端末１１ａへ送信する信号の送信電力ＰE1は、
ＰE1＝Ｆ（Ｇ（Ｅ1））
で示される。
【００８０】
なお、図７（ａ）、図７（ｂ）、図８で求めた各送信電力ＰD1、ＰA1、ＰE1は、例えば、図４（ｂ）に示すように、１台の被試験端末１１ａと１つの擬似基地局３ｃのみが存在する条件における送信電力である。
【００８１】
図９、図１０は、図６（ａ）に示すように、１台の被試験端末１１ａとｙ座標方向に分散配置された３つの擬似基地局３ｃ（３ｂ）、４ｃ（４ｂ）、５ｃ（５ｂ）とが存在し、各擬似エリア８、９、１０が存在しない条件における各擬似基地局３ｃ、４ｃ、５ｃの被試験端末１１ａに対する各送信電力（出力レベル）を求める手順を示す図である。
【００８２】
図９においては、各擬似基地局３ｂ、４ｂ、５ｂと被試験端末１１ｂとの各ｙ座標方向の距離Ｃ1、Ｃ2、Ｃ3を求め、さらに、各擬似基地局３ｂ、４ｂ、５ｂと被試験端末１１ｂとの各ｘ座標方向の距離Ｄ1、Ｄ2、Ｄ3を求める。そして、各擬似基地局３ｂ、４ｂ、５ｂと被試験端末１１ｂとの各加算した各距離（Ｃ1＋Ｄ1）、（Ｃ2＋Ｄ2）、（Ｃ3＋Ｄ3）を求める。
【００８３】
この加算した各距離（Ｃ1＋Ｄ1）、（Ｃ2＋Ｄ2）、（Ｃ3＋Ｄ3）から、各擬似基地局３ｃ、４ｃ、５ｃの被試験端末１１ａに対する各送信電力ＰA1、ＰA2、ＰA3を求めている。
【００８４】
ＰA1＝Ｆ（Ｇ（Ｃ1＋Ｄ1））
ＰA2＝Ｆ（Ｇ（Ｃ2＋Ｄ2））
ＰA3＝Ｆ（Ｇ（Ｃ3＋Ｄ3））
一方、図１０においては、各擬似基地局３ｂ、４ｂ、５ｂと被試験端末１１ｂとの各距離を、直線距離Ｅ1、Ｅ2、Ｅ3として求め、この直線距離Ｅ1、Ｅ2、Ｅ3から、各擬似基地局３ｃ、４ｃ、５ｃの被試験端末１１ａに対する各送信電力ＰE1、ＰE2、ＰE3を求めている。
【００８５】
ＰE1＝Ｆ（Ｇ（Ｅ1））
ＰE2＝Ｆ（Ｇ（Ｅ2））
ＰE3＝Ｆ（Ｇ（Ｅ3））
図１１は、図４（ａ）に示すように、１台の被試験端末１１ａ（１１ｂ）とｙ座標方向に分散配置された２つの擬似基地局３ｃ（３ｂ）、４ｃ（４ｂ）と、対応する各擬似エリア８、９が存在し、かつ各擬似エリア８、９の重なる部分３５が存在する条件において、前述した被試験端末移動入力部３０と被試験端末移動制御部３１とで、表示器６に表示された被試験端末１１ｂを、ｙ座標方向へ移動させた場合における各擬似基地局３ｃ、４ｃの被試験端末１１ａに対する各送信電力（出力レベル）を求める手順を示す図である。
【００８６】
図１１（ａ）は、被試験端末１１ｂが、擬似基地局３ｂの擬似エリア８内で重なる部分３５以外に位置している状態を示す。この状態においては、擬似基地局３ｃの被試験端末１１ａに対する送信電力は、この擬似基地局３ｂと被試験端末１１ｂとのｘ座標方向の距離Ｄ1から求めた送信電力ＰD1＝Ｆ（Ｇ（Ｄ1））と、直線距離Ｅ1から求めた送信電力ＰE1＝Ｆ（Ｇ（Ｅ1））との２種類の送信電力となる。
【００８７】
なお、被試験端末１１ｂは、擬似基地局４ｂの擬似エリア９内に存在しないので、擬似基地局４ｃの被試験端末１１ａに対する２種類の送信電力ＰD2、ＰE2はいずれも「０」（出力停止状態）である。
【００８８】
このように、試験実施者は、表示器６の表示画面上で、被試験端末と擬似基地局との距離を変更操作するのみで、擬似基地局の被試験端末に対する送信電力（出力レベル）が距離変化に応じて自動的に変化するので、被試験端末に対する試験作業効率を大幅に向上できる。
【００８９】
図１１（ｂ）は、被試験端末１１ｂが各擬似エリア８、９の重なる部分３５内に位置している状態を示す。この状態においては、擬似基地局３ｃの被試験端末１１ａに対する送信電力は、
この擬似基地局３ｂと被試験端末１１ｂとのｘ座標方向の距離Ｄ1から求めた送信電力ＰD1＝Ｆ（Ｇ（Ｄ1））と、
この擬似基地局３ｂと被試験端末１１ｂとのｙ座標方向の距離Ｃ1とｘ座標方向の距離Ｄ1との加算した距離（Ｃ1＋Ｄ1）から求めた送信電力ＰA1＝Ｆ（Ｇ（Ｃ1＋Ｄ1））と、
直線距離Ｅ1から求めた送信電力ＰE1＝Ｆ（Ｇ（Ｅ1））と
の３種類の送信電力となる。
【００９０】
同様に、擬似基地局４ｃの被試験端末１１ａに対する送信電力は、
この擬似基地局４ｂと被試験端末１１ｂとのｘ座標方向の距離Ｄ2から求めた送信電力ＰD2＝Ｆ（Ｇ（Ｄ2））と、
この擬似基地局４ｂと被試験端末１１ｂとのｙ座標方向の距離Ｃ2とｘ座標方向の距離Ｄ2との加算した距離（Ｃ2＋Ｄ2）から求めた送信電力ＰA2＝Ｆ（Ｇ（Ｃ2＋Ｄ2））と、
直線距離Ｅ2から求めた送信電力ＰE2＝Ｆ（Ｇ（Ｅ2））と
の３種類の送信電力となる。
【００９１】
このように、被試験端末１１ｂが各擬似エリア８、９の重なる部分３５内に位置している状態においては、各擬似基地局３ｃ、４ｃの被試験端末１１ａに対する送信電力の算出に用いる表示画面上の距離を、ｘ座標方向の距離Ｄ1と、ｙ座標方向の距離Ｃ1とｘ座標方向の距離Ｄ1とを加算した距離（Ｃ1＋Ｄ1）と、直線距離Ｅ1との３種類のなかから選択可能としているので、各擬似基地局３ｃ（３ｂ）、４ｃ（４ｂ）、５ｃ（５ｂ）の二次元空間上の配置の条件に応じて、最適な「距離」を選択すればよい。
【００９２】
例えば、各擬似基地局３ｂ、４ｂがｙ軸方向にのみ分散配置されていた条件においては、加算した距離（Ｃ1＋Ｄ1）、（Ｃ2＋Ｄ2）、で各送信電力ＰA1、ＰA2を求める。この場合、被試験端末１１ｂが重なる部分３５内でｙ軸と平行に移動している状態においては、この被試験端末１１ｂが各擬似基地局３ｂ、４ｂから受信する信号の合計信号レベルは一定値を維持する。
【００９３】
図１１（ｃ）は、被試験端末１１ｂが、擬似基地局４ｂの擬似エリア９内で重なる部分３５以外に位置している状態を示す。この状態においては、擬似基地局４ｃの被試験端末１１ａに対する送信電力は、この擬似基地局４ｂと被試験端末１１ｂとのｘ座標方向の距離Ｄ1から求めた送信電力ＰD2＝Ｆ（Ｇ（Ｄ2））と、直線距離Ｅ2から求めた送信電力ＰE2＝Ｆ（Ｇ（Ｅ2））との２種類の送信電力となる。
【００９４】
なお、被試験端末１１ｂは、擬似基地局３ｂの擬似エリア８内に存在しないので、擬似基地局３ｃの被試験端末１１ａに対する２種類の送信電力ＰD1、ＰE1はいずれも、図１１（ａ）と同様に、「０」（出力停止状態）である。
【００９５】
ここまで、図１１（ａ）、（ｃ）の説明では、被試験端末１１ｂが各擬似エリア８、９のみにのみ位置しているとき、ｙ軸方向の距離Ｃ1、Ｃ2をｘ軸方向の距離Ｄ1、Ｄ2に加算する処理を含まないように記述しているが、それぞれの擬似エリア８、９においても、加算した距離（Ｃ1＋Ｄ1）、（Ｃ2＋Ｄ2）を使用して送信電力を求めてもよい。
【００９６】
なお、３種類の送信電力のうち、いずれの送信電力を採用するかは、試験実施者が、予め距離算出部３４、送信電力算出部２９に設定しておく。
【００９７】
このように、被試験端末１１ｂが互いに重なる部分３５が存在する複数の擬似エリア８、９を横切る場合における、被試験端末１１ｂの各位置における各擬似基地局３ｃ、４ｃの被試験端末１１ａに対する送信電力を設定しているので、より現実に近い条件で被試験端末１１ａに対するハンドオーバ試験等の試験を実施できる。
【００９８】
図１２は、前述した図１１（ｂ）に示す被試験端末１１ｂが各擬似エリア８、９の重なる部分３５内に位置している状態における各擬似基地局３ｃ、４ｃの被試験端末１１ａに対する第４の送信電力ＰK1、ＰK2の算出方法を示す図である。
【００９９】
各擬似エリア８、９の重なる部分３５の境界線上における、被試験端末１１ｂ（座標Ｕ1（Ｘu1、Ｙu1））のＸ座Ｘu1に対応する各位置（交点）Ｊ1（座標（Ｘu1、Ｙj1））、Ｊ2（座標（Ｘu1、Ｙj2））から、被試験端末１１ｂまでのｙ軸方向の各距離Ｈ1、Ｈ2を求める。
【０１００】
Ｈ1＝｜Ｙj1―Ｙu1｜
Ｈ2＝｜Ｙj2―Ｙu1｜
さらに、前述した表示画面上における擬似基地局３ｂ、４ｂと被試験端末１１ｂとのｘ座標方向の各距離Ｄ1、Ｄ2を求める。
【０１０１】
そして、擬似基地局３ｃの被試験端末１１ａに対する第４の送信電力ＰK1は、この重なる部分３５の擬似エリア８側の境界線から被試験端末１１ｂまでのｙ座標方向の距離Ｈ1と、擬似基地局３ｂと被試験端末１１ｂとのｘ座標方向の距離Ｄ1との加算した距離（Ｈ1＋Ｄ1）から下式にて求める。
【０１０２】
ＰK1＝Ｆ（Ｇ（Ｈ1＋Ｄ1））
同様に、擬似基地局４ｃの被試験端末１１ａに対する第４の送信電力ＰK2は、この重なる部分３５の擬似エリア９側の境界線から被試験端末１１ｂまでのｙ座標方向の距離Ｈ2と、擬似基地局４ｂと被試験端末１１ｂとのｘ座標方向の距離Ｄ2との加算した距離（Ｈ2＋Ｄ2）から下式にて求める。
【０１０３】
ＰK2＝Ｆ（Ｇ（Ｈ2＋Ｄ2））
このように、被試験端末１１ｂが各擬似エリア８、９の重なる部分３５内に位置している状態における各擬似基地局３ｃ、４ｃの被試験端末１１ａに対する第４の送信電力ＰK1、ＰK2を採用することも可能である。
【０１０４】
なお、本発明は上述した実施形態に限定されるものではない。実施形態の移動端末試験装置においては、１台の被試験端末１１ａの試験を実施したが、もう１台の被試験端末をこの移動端末試験装置に接続し、この２台の被試験端末を表示器６に表示し、この２台の被試験端末相互間の対向試験を擬似基地局を介して実施することが可能である。
【０１０５】
また、各擬似エリア８、９、１０の形状を円形にすることも可能であるし、３つ以上の擬似基地局の各擬似エリアが共に重なる様に擬似基地局を配置（図示しない）して、被試験端末１１ａの試験を行うことも可能である。
【図面の簡単な説明】
【０１０６】
【図１】本発明の一実施形態に係わる移動端末試験装置の外観図
【図２】同移動端末試験装置に組込まれた表示器の表示内容を示す図
【図３】同移動端末試験装置の概略構成を示すブロック図
【図４】同移動端末試験装置の擬似基地局モジュールの装着状態と表示器の表示内容との関係を示す図
【図５】同移動端末試験装置の表示された被試験端末の移動手法を示す図
【図６】同移動端末試験装置に組込まれた表示器に形成されたｘｙ座標を示す図
【図７】同移動端末試験装置における擬似基地局と被試験端末との間の距離及び送信電力の算出手順を示す図
【図８】同じく同移動端末試験装置における擬似基地局と被試験端末との間の距離及び送信電力の算出手順を示す図
【図９】同じく同移動端末試験装置における擬似基地局と被試験端末との間の距離及び送信電力の算出手順を示す図
【図１０】同じく同移動端末試験装置における擬似基地局と被試験端末との間の距離及び送信電力の算出手順を示す図
【図１１】同じく同移動端末試験装置における擬似基地局と被試験端末との間の距離及び送信電力の算出手順を示す図
【図１２】同じく同移動端末試験装置における擬似基地局と被試験端末との間の距離及び送信電力の算出手順を示す図
【符号の説明】
【０１０７】
１…筐体、３ａ，４ａ，５ａ…擬似基地局モジュール、３ａ，３ｂ，３ｃ，４ａ，４ｂ，４ｃ，５ａ，５ｂ，５ｃ…擬似基地局、６…表示器、７…操作パネル、８，９，１０…擬似エリア、１１ａ，１１ｂ…被試験端末、１２…接続状態、１８…送信電力、２０…信号線、２１…擬似基地局部、２２…擬似基地局制御部、２３…通信制御部、２４…擬似基地局リソース部、２５…送信電力制御部、２６…接続状態表示制御部、２７…擬似基地局・擬似エリア表示制御部、２８…送信電力表示制御部、２９…送信電力算出部、３０…被試験端末移動入力部、３１…被試験端末移動制御部、３３…被試験端末位置検出部、３４…距離算出部、３５…重なる部分、４０…距離
【図１】
2006101141.tif 000003
【図２】
2006101141.tif 000004
【図３】
2006101141.tif 000005
【図４】
2006101141.tif 000006
【図５】
2006101141.tif 000007
【図６】
2006101141.tif 000008
【図７】
2006101141.tif 000009
【図８】
2006101141.tif 000010
【図９】
2006101141.tif 000011
【図１０】
2006101141.tif 000012
【図１１】
2006101141.tif 000013
【図１２】
2006101141.tif 000014
【手続補正書】
【提出日】平成17年7月12日(2005.7.12)
【手続補正１】
【補正対象書類名】図面
【補正対象項目名】図５
【補正方法】変更
【補正の内容】
【図５】
2006101141.tif 000015